(57)【要約】【課題】ビデオファイルの映像を所望の位置までホッピング形式で放映させるる機能を提供するネットワークにおけるビデオファイル伝送方法を提供する。【解決手段】aのプロセスにおいてはネットワークを通じて伝送されるビデオファイルの位置T0から位置T0＋Ｔである第一ビデオ内容を電子装置がビデオサーバーより受信し、ｂのプロセスでは該ビデオファイルの位置Tnから位置Tn＋ＴＴである第ｎビデオコンテンツを該電子装置が受信するが該ｎ＝1,2,3,…,Nとし、該Nとはビデオホッピングポイントの個数を表し、△T及び△TTは一定の放映量であり、且つ位置T0＜位置T1＜位置T2＜位置T3＜…＜位置Tnとし、ｃのプロセスで該電子装置が第一ビデオコンテンツを放映し、ｄのプロセスで該電子装置が該第一ビデオコンテンツを放映すると同時にホッピング指令を受けたか探知し、該指令を受ければホッピング形式で放映し、受けなければそのまま放映し、ｅのプロセスとして該ビデオファイルが終了するまで上述を繰り返し放映する。【選択図】        図３
2005045764.tif 000002
【特許請求の範囲】
【請求項１】
以下のa，b，c，d，ｅのプロセスを含むビデオファイルの伝送方法において、
ビデオサーバーよりネットワークを通じて伝送されるビデオファイルの位置T0から位置T0＋△tの第一ビデオコンテンツを電子装置が受信する該aのプロセスと、
該ビデオサーバーより該ネットワークを通じて伝送される該ビデオファイルの複数の位置Tnから位置Tn＋△TTである第nビデオコンテンツを該電子装置が受信し、且つ該n＝1，2，3，．．．，Nであり、また該Nとはビデオホッピングポイントの個数を表し、該△T及び該△TTは一定の放映量であり、該位置T0＜位置T1＜位置T2＜位置T3＜．．．＜位置Tnである該bのプロセスと、
該電子装置で該第一ビデオコンテンツを放映する該ｃのプロセスと、
該電子装置が該第一ビデオコンテンツを放映すると同時に、ホッピング放映指令を受けたかを探知し、該指令を受けたのであれば該電子装置が該第ｎビデオコンテンツまでホッピング形式で放映し、このとき該ビデオサーバーの該位置T0＝位置Tnであり、該指令を受けてないのであれば該電子装置は該第一ビデオコンテンツを位置T0＋△Ｔまで続けて放映し、このとき該ビデオサーバーの該位置T0＝位置T0＋△Ｔであり、該ホッピング放映指令を該電子装置に応用して該第ｎビデオコンテンツの放映を行う該ｄのプロセスと、
該ビデオファイルの放映が終了するまで該プロセスａからプロセスｄを繰り返し執行する該ｅのプロセスと、
を含むことを特徴とするビデオファイルの伝送方法。
【請求項２】
該位置T0及び該位置Tnは該ビデオファイルのファイルの長さの位置に対応することを特徴とする請求項１記載のビデオファイルの伝送方法。
【請求項３】
該位置T0及び該位置Tnは該ビデオファイルの時間の位置に対応することを特徴とする請求項１記載のビデオファイルの伝送方法。
【請求項４】
該電子装置は、使用者の端末機器であることを特徴とする請求項１記載のビデオファイルの伝送方法。
【請求項５】
該ビデオホッピングポイントの個数はある定められた一定の個数とすることを特徴とする請求項１記載のビデオファイルの伝送方法。
【請求項６】
該ビデオホッピングポイントの個数は繰り返し設定される個数であることを特徴とする請求項１記載のビデオファイルの伝送方法。
【請求項７】
該電子装置とは携帯電話であることを特徴とする請求項１記載のビデオファイルの伝送方法。
【請求項８】
該電子装置とはコンピュータであることを特徴とする請求項１記載のビデオファイルの伝送方法。
【請求項９】
該電子装置とはパーソナルデータアシスタント（PDA）であることを特徴とする請求項1記載のビデオファイルの伝送方法。
【請求項１０】
該ネットワークとはインターネットであることを特徴とする請求項１記載のビデオファイルの伝送方法。
【請求項１１】
該ネットワークとはローカルエリアネットワーク（LAN）であることを特徴とする請求項１記載のビデオファイルの伝送方法。
【請求項１２】
該ネットワークとはモバイルデータネットワークであることを特徴とする請求項１記載のビデオファイルの伝送方法。
【発明の詳細な説明】
【技術分野】
【０００１】
本発明はビデオファイルの伝送方法に係り、特にビデオファイルがネットワーク上で伝送及びダウンロードされる際ネットワーク上の資源を無駄にせず、且つ所望の位置までホッピング形式で放映する機能を具有するビデオファイルの伝送方法に関わる。
【背景技術】
【０００２】
公知におけるネットワークのビデオファイル伝送方法においては、図１に示すように、先ずメディアプレーヤーによって部分のビデオファイル１０を先取りし、続いて該メディアプレーヤーによって該ビデオファイル１０の放映を開始すると同時に該放映される位置１０bが該ビデオファイル１０の何れかに示され、該メディアプレーヤーでは既にダウンロードした該ビデオファイル１０のコンテンツを放映しながら、該ビデオファイル１０を完全にダウンロードし続ける。該メディアプレーヤーで放映されている間、使用者が該放映位置１０ｂを移動しようとすることができ、該メディアプレーヤーが指定された放映位置１０ｂを直接放映し、この間も該ファイル１０のダウンロードが終わるまでは該メディアプレーヤーが該ビデオファイル１０の放映位置１０ｂ以後のコンテンツをダウンロードし続ける。
【発明の開示】
【発明が解決しようとする課題】
【０００３】
上述のような公知における方法では、以下のような欠点がある。
先ず、使用者が現在見ているビデオファイルを見るのを止めようとする場合、或いは放映位置１０ｂを移動させようとする際、該メディアプレーヤーでは先にダウンロードされて放映する準備のできたビデオファイル１０を廃棄してしまうため、ネットワーク上の資源の無駄ができてしまう。
次には該メディアプレーヤーにより放映できるコンテンツは、ダウンロードが完了している部分に限られてしまい、放映位置を移動して再度ダウンロードする以外には使用者が移動後の放映位置であるビデオコンテンツを見ることができず、ここでもネットワーク上での資源の無駄が生じると同時に見たい場面を直ちに見ることが困難となっている。
上述の欠点に鑑み、使用者にビデオファイルの映像を提供すると同時に、ネット上の資源の無駄を省き、速やかに所望の映像を提供できるよう、所望の位置までホッピング形式で放映させるる機能を提供するべく本発明のネットワークにおけるビデオファイル伝送方法を提供する。
【課題を解決するための手段】
【０００４】
ａ，b，ｃ，ｄ，ｅのプロセスを含むが、先ず該ａのプロセスにおいてはネットワークより伝送されるビデオファイルの位置T0から位置T0＋△Ｔである第一ビデオコンテンツを電子装置がビデオサーバーより受信し、次に該ｂのプロセスにおいて該ネットワークより伝送されるビデオファイルの複数の位置Tnから位置Tn＋△ＴＴである第ｎビデオコンテンツを該電子装置が該ビデオサーバーから受信するが、該ｎ＝１，２，３，．．．，Ｎであり、該Ｎとはビデオホッピングポイントの個数であり、該△Ｔ及び△ＴＴとは一定の放映量を示し、且つ該位置T0＜位置T1＜位置T2＜位置T3＜．．．＜位置Tnとし、更に該ｃのプロセスにおいては該電子装置により第一ビデオコンテンツを放映し、該ｄのプロセスにおいては該電子装置で該第一ビデオコンテンツを放映すると同時にホッピング放映指令を受けたかを探知し、該指令を受けたのであれば、該電子装置が該第ｎビデオコンテンツにホッピング形式で放映し、該ビデオサーバーの位置T0＝位置Tnとし、また該指令を受けていないのであれば、該第一ビデオコンテンツから位置T0＋△Ｔまで放映を続け、該ビデオサーバーの位置T0＝位置T0＋△Ｔとし、該ホッピング放映により該電子装置が該第ｎビデオコンテンツを放映し、最後に該ｅのプロセスにより該ビデオファイルの放映が終了するまで該ａから該ｄのプロセスを繰り返し執行する。
【発明の効果】
【０００５】
本発明によると、ホッピング形式で映像を見る機能を提供したことにより、使用者が見ようとする映像を速やかに提供する、或いは見たくない映像を飛ばすことができるようになったと同時に、ネット上の資源の無駄を省く目的を達成することができた。
【発明を実施するための最良の形態】
【０００６】
図２に示すように、ビデオサーバー２０には複数のビデオファイル４０が保存されており、電子装置３０によりネットワーク５０でダウンロードしたものが観賞できるようになっている。使用者が該電子装置３０を利用してビデオファイル４０の映像を観賞するが、該放映されている映像を見たくない場合、或いは所望の場面を探そうとする際には、使用者によって直接該電子装置３０を操作し、該操作を止めるまでは現在放送されている該映像をホッピング形式で跳ばして見ることができる。該電子装置３０は端末機器とした場合、該電子装置３０とは具体的には携帯電話やパーソナルデータアシスタント、コンピュータなどを指すのであり、該ネットワーク５０とは具体的にはインターネットやLAN、若しくは携帯電話等のモバイルデータネットワーク（GPRSなど）をはじめとする携帯型の電子装置とする。
【０００７】
図３に示すように、本発明のビデオファイルの伝送方法においては、主に次のプロセスを含む。プロセス６１では該電子装置３０により、ビデオサーバー２０からネットワーク５０を通じて伝送されるビデオファイルの位置T0から位置T0＋△である第一ビデオコンテンツ４０aを受信する。該ビデオサーバー２０から該ネットワーク５０を経て伝送されるビデオファイル４０の複数の位置Tnから位置Tn＋△TTの第nビデオコンテンツ４０bを受信するが、該n＝1，２，３，．．．，Nであり、Nとはビデオタッピングポイント４０cの個数であり、△T及び△TTとは一定の放映量であり、位置T0 ＜位置T１＜位置T２＜位置T３＜位置Tn．．．＜位置Tnとなる。  同時に図４に示すように、本発明の方法によると、該ビデオサーバー２０がビデオファイル４０の位置T0を位置T１＋△Tである第一ビデオコンテンツ４０aを電子装置３０に伝送し、続いて該ビデオサーバー２０が該ビデオファイル４０の複数の位置Tnから位置Tn＋TTの第nビデオコンテンツ４０bを電子装置３０に伝送し、該プロセス６１が及びプロセス６３が終了したら、該電子装置３０が受信したビデオファイル４０のコンテンツが第一ビデオコンテンツ４０a及び複数の第n第二ビデオコンテンツ４０bとなる。上述の位置T0及び位置Tnの具体実施例においては、ビデオファイル４０の長さの位置或いはビデオファイル４０の放映時間の位置とし、また上述のビデオホッピングポイント４０cの個数においては、具体実施例では該電子装置３０のバッファがレジストするビデオファイル４０の内容の大小によって、ビデオホッピングポイント４０cの個数を決定する、或いは該ビデオホッピングポイント４０cの個数は実際に伝送されてくる状況に応じてそれぞれ設定するものとする。
【０００８】
該プロセス６５は電子装置３０が第一ビデオコンテンツ４０aを放映するのであり、またプロセス６７は該電子装置３０が該第一ビデオコンテンツ４０aを放映すると同時に、ホッピング方式で放映する指令を受けたかを探知し、該指令を受けたのであれば該電子装置３０が第nビデオコンテンツ４０bまでホッピング形式で放映し、使用者がホッピングポイントを決めた後、該ビデオサーバー４０の位置T0＝位置Tnとなるようにする。該指令を受けていないのなら、該電子装置３０は引き続き該第一ビデオコンテンツ４０aから位置T0＋△Tまで放映し、該ビデオサーバー２０の位置T0＝位置T0＋△Tとし、該ホッピング放映の指令で該電子装置３０に対して第ｎビデオコンテンツ４０bの放映を行う。該プロセス６５及びプロセス６７執行中においては、使用者が該電子装置３０の放映するビデオコンテンツ４０aは、使用者が該第一ビデオコンテンツ４０aを見つづけたくないときでは、使用者が該電子装置３０に対して以下のホッピング放映指令を出す。例えば該電子装置３０のボタンを押す回数などによってどのビデオホッピングポイント４０cまで飛ばすかを決定し、続いて使用者が最後に選択した所望の該ホッピングポイント４０cにまで跳ばしたら第nビデオコンテンツ４０bを放映し、こうして使用者が毎回ボタンを押した後、該ホッピングポイント４０cの第nビデオコンテンツ４０bがサーチでき、使用者がホッピングポイントを決定したら該ビデオサーバー２０の位置T0＝位置Tnとなり、図５に示すように該ビデオサーバー２０が第nビデオコンテンツ４０b及びその後方に位置するビデオコンテンツを伝送する。使用者が第一ビデオコンテンツ４０aを見ようとするのであれば、何らかのホッピング放映指令無しに、該電子装置３０は第一ビデオコンテンツ４０aから位置T0＋△Tまで放映し、該ビデオサーバー２０の位置T0＝位置T0＋△Tとする（図６参照）。
プロセス６９は繰り返し該プロセス６１からプロセス６７を執行し、ビデオファイル４０が放映終了するまでこれが続く。
【０００９】
該ビデオファイル４０のファイルの長さを一座標軸とした実施例では、放映一の観点を説明することで本発明の解説とする。上述の位置T0は、放映しようとするビデオファイル４０のファイルの長さの位置に対応しており、その後の位置T１，位置T２，位置T３，．．．，位置Tnは皆、使用者がこれから見ようとする、つまり放映される可能性があるのであり、これらはそれぞれ該ビデオファイル４０の異なるファイルの長さの位置に対応しており、つまり本発明では使用者が該ビデオファイル４０のファイルの長さにより、見ようとする映像の位置を見つけ出し、最後に決定する。
【００１０】
該ビデオファイル４０の全体の放映時間を一座標軸としたもう一つの実施例においては、放映一の観点によって本発明の説明とすると、上述の位置T0は放映するビデオファイル４０の時間に対応し、その後の位置T1や位置T2 及び位置T3，．．．，位置Tnは皆、使用者がこれから見ようとする、つまり放映される可能性があるのであり、これらは皆該ビデオファイル４０の異なるファイルの時間に対応しており、つまり本発明では使用者が該ビデオファイル４０のファイルの時間により、見ようとする映像の位置を見つけ出し、最後に決定するものとしてもよい。
【００１１】
上述の△T及び△TTなどは一定の放映量のパラメータであり、その大小においては該電子装置３０のバッファの大きさによって適度な大きさが決定される。また該△TTといったパラメータを用いることにより、本発明では使用者が直ちにホッピング形式で見ようとする位置Tnから位置Tn＋△TT間の放映量である△TTのビデオコンテンツを見ることができるようになる。つまり第一ビデオコンテンツ４０aは毎回△Tの放映量によってダウンロードされて放映され、ネットワークにおける資源を無駄にすることがない。
また本発明に用いられるビデオファイル４０における具体的な種類においてはビットストリーム（bit stream）技術で処理して放映される映像フォーマットであるか、或いはネットワーク５０でダウンロードした後に放映される映像フォーマットとする。
更に本発明をメディアプレーヤーにおいて実施する際、該メディアプレーヤーを具有する電子装置３０によって執行する。
【図面の簡単な説明】
【００１２】
【図１】公知の方法によるネットワークのビデオファイル伝送方法である。
【図２】本発明によるハード環境説明図である。
【図３】本発明におけるフローチャートである。
【図４】本発明により伝送されるビデオファイルの状態図である。
【符号の説明】
【００１３】
１０  ビデオファイル
１０a  部分ビデオファイル
１０b  放送位置
２０  ビデオサーバー
３０  電子装置
４０  ビデオファイル
４０a  第一ビデオコンテンツ
４０b  第nビデオコンテンツ
４０c  ビデオホッピングポイント
５０  ネットワーク
６１，６３，６５，６７，６９  プロセス
【図１】
2005045764.tif 000003
【図２】
2005045764.tif 000004
【図３】
2005045764.tif 000005
【図４】
2005045764.tif 000006